(57)【特許請求の範囲】
【請求項１】
自局に在圏している移動機からの公衆電話回線経由での保守用特番発信を検出する検出手段と、
前記保守用特番発信の検出を条件として保守端末からのローカルエリアネットワーク経由での自局の保守管理に係わる操作入力の受け付けを許可する許可手段と、
を備えるフェムトセル基地局。
【請求項２】
請求項１に記載のフェムトセル基地局であって、
前記ローカルエリアネットワークを介して前記保守端末に接続する通信ポートを更に備え、
前記許可手段は、前記保守用特番発信の検出を条件として前記通信ポートを開くことにより、前記保守端末からの前記ローカルエリアネットワーク経由での自局の保守管理に係わる操作入力の受け付けを許可する、フェムトセル基地局。
【請求項３】
請求項１又は請求項２に記載のフェムトセル基地局であって、
前記許可手段は、前記保守用特番発信の検出からある一定時間経過する迄の期間に限り、前記保守端末からの前記ローカルエリアネットワーク経由での自局の保守管理に係わる操作入力の受け付けを許可する、フェムトセル基地局。
【請求項４】
請求項１乃至請求項３のうち何れか１項に記載のフェムトセル基地局であって、
前記保守用特番は、前記保守端末からの前記ローカルエリアネットワーク経由での自局の保守管理に係わる操作入力の受け付けが許可される度に使い捨てられる、フェムトセル基地局。
【請求項５】
請求項１乃至請求項４のうち何れか１項に記載のフェムトセル基地局であって、
前記保守用特番は、前記フェムトセル基地局の保守管理に係わる項目範囲に応じて異なる、フェムトセル基地局。
【請求項６】
オペレーションサポートシステムと、フェムトセル基地局とを備える移動通信システムであって、
前記オペレーションサポートシステムは、保守用特番を発行する発行手段を備え、
前記フェムトセル基地局は、自局に在圏している移動機からの公衆電話回線経由での保守用特番発信を検出する検出手段と、前記保守用特番発信の検出を条件として保守端末からのローカルエリアネットワーク経由での自局の保守管理に係わる操作入力の受け付けを許可する許可手段とを備える、移動通信システム。
【請求項７】
自局に在圏している移動機からの公衆電話回線経由での保守用特番発信を検出し、
前記保守用特番発信の検出を条件として保守端末からのローカルエリアネットワーク経由での自局の保守管理に係わる操作入力の受け付けを許可する、保守管理方法。
【請求項８】
請求項７に記載の保守管理方法をフェムトセル基地局に実行させるための保守管理プログラム。
【発明の詳細な説明】
【技術分野】
【０００１】
本発明は、ローカルエリアネットワーク経由で保守端末からフェムトセル基地局を保守管理する技術に関する。
【背景技術】
【０００２】
フェムトセル基地局は、家庭用向けデジタル加入者線又はケーブルバンド接続等を利用して移動機を公衆回線等に接続する機能を有する低出力のワイヤレスアクセスポイントである。フェムトセル基地局の保守管理に係わる先行技術として、例えば、特開２０１１−２５９４２５号公報にて提案されているように、ＴＲ−０６９プロトコルに基づいてフェムトセル基地局を遠隔管理する方式が知られている。ＴＲ−０６９プロトコルは、Broad Band Forum(旧DSL Forum)にて策定された、通信機器の遠隔管理用通信プロトコルであり、例えば、DSLモデムやFTTHモデムの管理プロトコルに採用される他、フェムトセル技術の普及推進団体により、フェムトセル基地局の管理プロトコルとしても採用されている。移動通信事業者のコアネットワークに配置されたオペレーションサポートシステムは、ＴＲ−０６９プロトコルに基づいて、フェムトセル基地局のリモートメンテナンス（例えば、死活監視、動作設定、ファームウェアのアップデート等）を行うことができる。このように、フェムトセル基地局の従来の保守管理は、リモートメンテナンスで行うことが一般的であり、保守員を現地に派遣して保守管理を行うことを前提としていない。このような事情から、フェムトセル基地局のＬＡＮポートは出荷時点で閉鎖されており、ユーザによる保守項目（フェムトセル基地局の送信出力、位置情報等）の不正な改竄等を防止している。
【先行技術文献】
【特許文献】
【０００３】
【特許文献１】特開２０１１−２５９４２５号公報
【発明の概要】
【発明が解決しようとする課題】
【０００４】
しかし、フェムトセル基地局に生じた障害又は不具合を解消する上で、リモートメンテナンスだけでは、必ずしも十分とは言えず、保守員を現地に派遣しなければ、解決できない場合もある。例えば、フェムトセル基地局の不具合の原因がその周辺の電波環境にあると考えられる場合、保守員を現地に派遣して実際の電波環境を調査するのが望ましい。このように保守員を現地に派遣してフェムトセル基地局を保守管理する必要性があるにも関わらず、従来の保守管理では、フェムトセル基地局のＬＡＮポートは出荷時点で閉鎖されているため、保守端末からローカルエリアネットワーク経由でフェムトセル基地局にアクセスして保守管理を行うことができないという点で不便であった。
【０００５】
そこで、本発明は、保守員が現地でフェムトセル基地局を保守管理できるようにすることを課題とする。
【課題を解決するための手段】
【０００６】
上述の課題を解決するため、本発明に係わるフェムトセル基地局は、自局に在圏している移動機からの公衆電話回線経由での保守用特番発信を検出する検出手段と、保守用特番発信の検出を条件として保守端末からのローカルエリアネットワーク経由での自局の保守管理に係わる操作入力の受け付けを許可する許可手段とを備える。インターネット網と比較すると、公衆電話回線は、一般ユーザからの不正アクセスが困難であるため、公衆電話回線からの保守用特番発信の検出を、保守端末からのローカルエリアネットワーク経由でのフェムトセル基地局の保守管理が許可される条件とすることにより、セキュリティを確保しつつ、現地でのフェムトセル基地局の保守管理を可能にできる。
【０００７】
本発明に係わるフェムトセル基地局は、ローカルエリアネットワークを介して保守端末に接続する通信ポートを更に備えてもよく、許可手段は、保守用特番発信の検出を条件として通信ポートを開くことにより、保守端末からのローカルエリアネットワーク経由での自局の保守管理に係わる操作入力の受け付けを許可してもよい。また、許可手段は、保守用特番発信の検出からある一定時間経過する迄の期間に限り、保守端末からのローカルエリアネットワーク経由での自局の保守管理に係わる操作入力の受け付けを許可してもよい。ここで、許可手段の機能は、フェムトセル基地局のハードウェア資源によって実現されてもよいし、或いは、フェムトセル基地局が実装するプロセッサによって実行されるソフトウェアモジュールによって実現されてもよい。
【０００８】
保守用特番の漏洩による保守項目の不正な改竄等を抑制するため、保守用特番は、保守端末からのローカルエリアネットワーク経由でのフェムトセル基地局の保守管理に係わる操作入力の受け付けが許可される度に使い捨てられてもよい。
【０００９】
セキュリティの高い保守管理を実現するため、保守用特番は、フェムトセル基地局の保守管理に係わる項目範囲に応じて異なるものでもよい。
【００１０】
本発明に係わる移動通信システムは、オペレーションサポートシステムと、フェムトセル基地局とを備える。オペレーションサポートシステムは、保守用特番を発行する発行手段を備える。フェムトセル基地局は、自局に在圏している移動機からの公衆電話回線経由での保守用特番発信を検出する検出手段と、保守用特番発信の検出を条件として保守端末からのローカルエリアネットワーク経由での自局の保守管理に係わる操作入力の受け付けを許可する許可手段とを備える。
【００１１】
本発明に係わる保守管理方法は、自局に在圏している移動機からの公衆電話回線経由での保守用特番発信を検出し、保守用特番発信の検出を条件として保守端末からのローカルエリアネットワーク経由での自局の保守管理に係わる操作入力の受け付けを許可する。
【００１２】
本発明に係わる保守管理プログラムは、上述の保守管理方法をフェムトセル基地局に実行させるためのコンピュータプログラムである。
【発明の効果】
【００１３】
本発明によれば、保守員が現地でフェムトセル基地局を保守管理できるようにすることができる。
【図面の簡単な説明】
【００１４】
【図１】本実施形態に係わる移動通信システムの構成を示す説明図である。
【図２】本実施形態に係わる保守管理方法の処理の流れを示すフローチャートである。
【発明を実施するための形態】
【００１５】
以下、各図を参照しながら本発明に係わる実施形態について説明する。
図１は本実施形態に係わる移動通信システム１００の構成を示す説明図である。移動通信システム１００は、例えば、家庭又はオフィス等の屋内８０に移動機４０のワイヤレスアクセスポイントを提供するフェムトセル基地局１０と、フェムトセル基地局１０をインターネット網５０経由でリモートメンテナンスするためのオペレーションサポートシステム７０とを備えている。移動機４０は、例えば、スマートフォン等の高機能携帯電話装置、パーソナルデジタルアシスタント、携帯用パーソナルコンピュータ等である。フェムトセル基地局１０は、屋内８０に設置されたブロードバンドルータ３０に接続され、ブロードバンド回線５１を介してインターネット網５０に接続し、携帯電話の通信サービスを移動機４０に提供する。ブロードバンド回線５１は、例えば、非対称デジタル加入者線、光ファイバ又は同軸ケーブル等である。携帯電話の通信方式は、例えば、ＬＴＥ又はＷ−ＣＤＭＡ等である。オペレーションサポートシステム７０は、携帯電話のコアネットワーク６０の一部を構成する大規模サーバ装置であり、保守員の指示に従ってフェムトセル基地局１０をリモートメンテナンスしたり、或いはフェムトセル基地局１０からの障害発生を示す警報を自動的に処理したりする。
【００１６】
フェムトセル基地局１０は、アンテナ１１を介して移動機４０と無線通信するための無線通信部１２と、各種制御処理を行う制御部１３と、ローカルエリアネットワーク３１又はブロードバンド回線５１等の外部ネットワークに接続するための通信ポート１４と、通信ポート１４を介してネットワーク処理を行うネットワーク制御部１５とを備える。無線通信部１２は、所定の通信方式（例えば、ＬＴＥ方式、Ｗ−ＣＤＭＡ方式）で無線通信を行うための高周波回路やベースバンド回路を含む回路基板から構成されている。制御部１３は、プロセッサ及び記憶資源等を含む回路基板から構成されている。通信ポート１４は、例えば、ＬＡＮポートである。ネットワーク制御部１５は、例えば、ＴＣＰ／ＩＰプロトコルに準拠したネットワークインタフェース回路等によって構成されている。
【００１７】
フェムトセル基地局１０の保守管理は、例えば、オペレーションサポートシステム７０からのリモートメンテナンスを主体としつつ、フェムトセル基地局１０に在圏している移動機４０からの公衆電話回線経由での保守用特番発信の検出を条件として、保守端末２０からのローカルエリアネットワーク３１経由でのメンテナンスを補足的に行うことによって実現される。インターネット網と比較すると、公衆電話回線は、一般ユーザからの不正アクセスが困難であるため、公衆電話回線からの保守用特番発信の検出を、保守端末２０からのローカルエリアネットワーク３１経由でのフェムトセル基地局１０の保守管理が許可される条件とすることにより、一般ユーザによる保守項目（例えば、フェムトセル基地局１０の送信出力、位置情報等）の不正な改竄等を効果的に防止できる。
【００１８】
保守端末２０との間で保守用の通信を行うための通信ポート１４は、通常時（後述する保守モードが起動していない時）には、セキュリティ確保のため閉塞しているが、フェムトセル基地局１０は、移動機４０からの保守用特番発信を検出すると、セキュリティを解除して通信ポート１４を開放し、保守端末２０からのローカルエリアネットワーク３１経由での保守管理に係わる操作入力の受け付けを許可する。保守用特番は、保守員及びその関係者以外には知得されないように配慮するのが望ましい。保守用特番の秘匿性を担保するために、保守用特番は、例えば、保守端末２０からのローカルエリアネットワーク３１経由でのフェムトセル基地局１０の保守管理に係わる操作入力の受け付けが許可される度に使い捨てられてもよい。また、フェムトセル基地局１０は、保守用特番発信の検出からある一定時間経過する迄の期間に限り、保守端末２０からのローカルエリアネットワーク３１経由での自局の保守管理に係わる操作入力の受け付けを許可してもよく、或いは、保守操作の終了を示す移動機４０からの特番発信の検出を条件として、保守端末２０からのローカルエリアネットワーク３１経由での自局の保守管理に係わる操作入力の受け付け許可を停止してもよい。なお、保守端末２０は、例えば、保守管理モジュール２１を実装するノート型パーソナルコンピュータである。
【００１９】
図２は本実施形態に係わる保守管理方法の処理の流れを示すフローチャートである。オペレーションサポートシステム７０は、保守用の特番及び当該特番に関連付けられたパスコードを発行し（ステップ２０１）、これらを保守員に通知するとともに（ステップ２０２）、これらをフェムトセル基地局１０にも通知する。フェムトセル基地局１０は、オペレーションサポートシステム７０から受信した保守用の特番及び当該特番に関連付けられたパスコードを自局の記憶資源に格納し、これらを登録する（ステップ２０３）。保守用の特番及び当該特番に関連付けられたパスコードは、保守端末２０からのローカルエリアネットワーク３１経由でのフェムトセル基地局１０の保守管理に係わる操作入力の受け付けが許可される度に使い捨てられてもよい。
【００２０】
保守員は、フェムトセル基地局１０が設置されている屋内８０に出向いて保守操作を開始する（ステップ２０４）。まず、初めに、保守員は、移動機４０をフェムトセル基地局１０に在圏させ（ステップ２０５）、移動機４０のダイヤルキーを操作して、公衆電話回線経由で保守用特番を発呼する（ステップ２０６）。フェムトセル基地局１０は、自局に在圏している移動機４０からの公衆電話回線経由での保守用特番発信を検出すると（ステップ２０７）、保守員にパスコードの入力を要求する（ステップ２０８）。保守用特番に関連付けられたパスコードを保守員が入力すると（ステップ２０９）、フェムトセル基地局１０は、保守モードを起動し（ステップ２１０）、保守端末２０との間で保守用の通信を行う通信ポート１４を開く。ここで、保守モードとは、保守端末２０からのローカルエリアネットワーク３１経由でのフェムトセル基地局１０の保守管理に係わる操作入力の受け付けを許可する動作モードを意味する。
【００２１】
保守モードが起動すると、保守員は、保守管理モジュール２１を立ち上げて（ステップ２１１）、保守端末２０からローカルエリアネットワーク３１を介してフェムトセル基地局１０に接続する。次に、保守員は、所定のＩＤ及びパスワードを入力して保守管理モジュール２１にログインし（ステップ２１２）、フェムトセル基地局１０の保守管理に係わる操作を入力する（ステップ２１３）。フェムトセル基地局１０の保守管理に係わる操作には、例えば、保守管理に係わる各種項目（例えば、フェムトセル基地局１０の個体情報、経緯度等の位置情報、送信出力、コアネットワーク６０内のゲートウェイ装置又は交換機等のネットワークアドレス、周辺基地局に関する情報、イベントログ）の確認及び／又は変更が含まれる。保守員による保守管理が終了すると（ステップ２１４）、フェムトセル基地局１０は、例えば、保守モードの起動から一定時間経過後に自動的に保守モードを終了する（ステップ２１５）。なお、保守モードの終了は、保守員による保守管理モジュール２１のログアウト操作を待ってから行ってもよく、或いは、保守操作の終了を示す移動機４０からの特番発信を検出してから行ってもよい。保守モードが終了すると、保守端末２０からのローカルエリアネットワーク３１経由でのフェムトセル基地局１０の保守管理に係わる操作入力の受け付け許可が停止される。
【００２２】
なお、セキュリティの高い保守管理を実現するため、保守用特番は、フェムトセル基地局１０の保守管理に係わる項目範囲に応じて異なる特番でもよい。例えば、ある保守用特番は、フェムトセル基地局１０の送信出力のみに関わる操作入力の受け付けが許可されるように設定し、他の保守用特番は、フェムトセル基地局１０の送信出力を含む全般的な保守項目に関わる操作入力の受け付けが許可されるように設定してもよい。
【００２３】
上述のステップ２０３、２０７、２０８、２１０、及び２１５は、制御部１３の記憶資源に格納された保守管理プログラムをプロセッサが実行することにより処理される。
【００２４】
本実施形態に係わるフェムトセル基地局１０によれば、自局に在圏している移動機４０からの公衆電話回線経由での保守用特番発信の検出を条件として、保守端末２０からのローカルエリアネットワーク３１経由での自局の保守管理に係わる操作入力の受け付けを許可することにより、保守管理のセキュリティを確保しつつ、現地でのフェムトセル基地局１０の保守管理を可能にできる。
【符号の説明】
【００２５】
１０…フェムトセル基地局
１１…アンテナ
１２…無線通信部
１３…制御部
１４…通信ポート
１５…ネットワーク制御部
２０…保守端末
２１…保守管理モジュール
３０…ブロードバンドルータ
３１…ローカルエリアネットワーク
４０…移動機
５０…インターネット網
５１…ブロードバンド回線
６０…コアネットワーク
７０…オペレーションサポートシステム
８０…屋内
【図１】
0005619926.tif 000002
【図２】
0005619926.tif 000003